Podtech/llm-jp-corpus-v4-ja_patent huggingface dataset:
(57)【要約】      （修正有）【課題】折り畳むことができ、かつ、道具箱への収納もし易い釣り用天秤を提供する。【解決手段】釣り用天秤は、仕掛接続部３を有する仕掛側天秤棒４、道糸接続部２、オモリ側天秤棒５、オモリ６より構成され、オモリ６には仕掛側天秤棒固定溝７が設けてあり、仕掛側天秤棒４をオモリ６の向こう側まで押し、仕掛側天秤棒４が元の位置に戻ろうとする力を利用し、仕掛側天秤棒固定溝７に仕掛側天秤棒４を挟み固定し、簡単に折り畳むことを可能にする。【選択図】図３
0003171577.tif 000002
【実用新案登録請求の範囲】
【請求項１】
逆Ｖ型釣り用天秤のオモリに仕掛側天秤棒を固定する溝を設け、仕掛側天秤棒を一度、オモリの向こう側まで押し、仕掛側天秤棒が元の位置に戻ろうとする力を利用し、オモリの仕掛側天秤棒を固定する溝に仕掛側天秤棒を挟むことで、折り畳めることを特徴とする釣り用天秤。
【考案の詳細な説明】
【技術分野】
【０００１】  本考案は、釣り用天秤の改良に関するものである。
【背景技術】
【０００２】  従来より、投げ釣りや船釣りにおいて海底の魚を釣る際、遠投や海中への投下で仕掛が絡まないように、釣り用天秤をつけて海底に仕掛を着底させ釣りを行っていた。【０００３】  このような釣り用天秤には、Ｌ型、弓型、逆Ｖ型等の様々な形状が存在する。
【先行技術文献】
【特許文献】
【０００４】
【特許文献１】  特開２０１０−２２０５９２号  公報
【考案の概要】
【考案が解決しようとする課題】
【０００５】  従来の釣り用天秤には次に挙げる問題があった。【０００６】  従来の釣り用天秤は、簡単に折り畳めるものが非常に少なく、特に魚からのアタリが明確なことを特長とする逆Ｖ型の釣り用天秤においては折り畳めるものがなく、無理に折り畳むと天秤棒が金属疲労を起こし強度が低下し、繰り返し折り畳むと最終的には折れてしまうという問題があった。【０００７】  また、折り畳みができない釣り用天秤は道具箱等への収納の際、非常に嵩張り扱い難いものであった。【０００８】  本考案はこの問題を解決し、簡単に折り畳め収納し易い釣り用天秤を提供するものである。
【課題を解決するための手段】
【０００９】  本考案は、主に逆Ｖ型の釣り用天秤に関するものであって、線状材からなるオモリ側天秤棒と仕掛側天秤棒、オモリ側天秤棒の端に固定されたオモリから構成される。【００１０】  従来の逆Ｖ型釣り用天秤は、折り畳みができないと前述したが、本考案逆Ｖ型釣り用天秤では、オモリに仕掛側の天秤棒を固定する溝を設け、仕掛側の天秤棒を一度、オモリの向こう側まで押し、天秤棒が元の位置に戻ろうとする力を利用し、オモリの溝に仕掛側の天秤棒を挟み固定できるように構成している。
【考案の効果】
【００１１】  前記した構成により、仕掛側の天秤棒をオモリの溝に挟んで簡単に折り畳め、収納し易い釣り用天秤が提供できる。
【図面の簡単な説明】
【００１２】
【図１】本考案逆Ｖ型釣り用天秤の側面図である。
【図２】本考案逆Ｖ型釣り用天秤の底面図である。
【図３】本考案逆Ｖ型釣り用天秤を折り畳んだ側面図である。
【図４】本考案逆Ｖ型釣り用天秤の形状２を示す側面図である。
【考案を実施するための形態】
【００１３】  本考案逆Ｖ型釣り用天秤は、簡単に折り畳め収納し易い逆Ｖ型の釣り用天秤であって、線状材からなるオモリ側天秤棒と仕掛側天秤棒、オモリ側天秤棒の端に固定されたオモリから構成され、オモリには仕掛側の天秤棒を固定する溝が設けてあり、仕掛側の天秤棒を一度、オモリの向こう側まで押し、天秤棒が元の位置に戻ろうとする力を利用し、オモリの溝に仕掛側の天秤棒を挟み固定できるように構成している。
【００１４】  オモリや、線状材からなるオモリ側天秤棒や仕掛側天秤棒の材質は、当該分野で公知のものであってかまわない。
【実施例】
【００１５】  以下、添付図面に従って一実施例を説明する。【００１６】  図１は本考案逆Ｖ型釣り用天秤の側面図である。図２は本考案逆Ｖ型釣り用天秤の底面図である。図に示す通り、本考案逆Ｖ型釣り用天秤１は、仕掛接続部３を有する仕掛側天秤棒４、道糸接続部２、オモリ側天秤棒５、仕掛側天秤棒固定溝７を有するオモリ６より構成される。【００１７】  従来の釣り用天秤には、オモリに仕掛側天秤棒固定溝を設けているものはない。【００１８】  図３は本考案逆Ｖ型釣り用天秤を折り畳んだ側面図である。図に示す通り、オモリ６には仕掛側天秤棒固定溝７が設けてあり、仕掛側天秤棒４を、オモリ６の向こう側まで押し、仕掛側天秤棒４が元の位置に戻ろうとする力を利用し、オモリ６の仕掛側天秤棒固定溝７に仕掛側天秤棒４を挟み固定できるように構成している。【００１９】  図４は本考案逆Ｖ型釣り用天秤の形状２を示す側面図である。図に示す通り、このように仕掛側天秤棒４が短く、オモリ６が円柱型に近い逆Ｖ型天秤においても、仕掛側天秤棒４をオモリ６の仕掛側天秤棒固定溝７に挟み折り畳むことが可能である。【００２０】  本考案逆Ｖ型釣り用天秤の一実施例は前述の如き構成からなるものであり、オモリ６に仕掛側天秤棒固定溝７を設けることにより、簡単に折り畳め、収納し易い画期的な逆Ｖ型釣り用天秤である。
【符号の説明】
【００２１】１  本考案逆Ｖ型釣り用天秤
２  道糸接続部
３  仕掛接続部
４  仕掛側天秤棒
５  オモリ側天秤棒
６  オモリ
７  仕掛側天秤棒固定溝
【図１】
0003171577.tif 000003
【図２】
0003171577.tif 000004
【図３】
0003171577.tif 000005
【図４】
0003171577.tif 000006
【手続補正書】
【提出日】平成23年8月17日(2011.8.17)
【手続補正１】
【補正対象書類名】実用新案登録請求の範囲
【補正対象項目名】全文
【補正方法】変更
【補正の内容】
【実用新案登録請求の範囲】
【請求項１】
逆Ｖ型釣り用天秤のオモリ（６）に線状材からなる仕掛側天秤棒（４）を固定する仕掛側天秤棒固定溝（７）を仕掛側天秤棒（４）の反対側に設け、仕掛側天秤棒（４）を一度、オモリ（６）の向こう側まで押し、仕掛側天秤棒（４）が元の位置に戻ろうとする力を利用し、オモリ（６）の仕掛側天秤棒固定溝（７）に仕掛側天秤棒（４）を挟むことで、折り畳めることを特徴とする釣り用天秤。
(57)【要約】      （修正有）【課題】内圧が減少して内容物を吐出できなくなったスプレー缶に、一時的に加圧して内容物を吐出可能にする圧力補充器具を提供する。【解決手段】通路付タッピングスクリュー４とエアーバルブ２とリリーフバルブ（５〜８で構成）をハンドル１を介して結合する。上記３部品はハンドル１の内部通路で通じている。ハンドル１を手で掴みスプレー缶側面上部にねじ込み、エアーバルブ２から空気等を供給することによりスプレー缶の内容物の吐出を可能にする。リリーフバルブ（５〜８で構成）は調圧されていない圧力源を使用した場合のスプレー缶破裂防止対策として機能する。【選択図】図１
0003171586.tif 000002
【実用新案登録請求の範囲】
【請求項１】
通路付タッピングスクリュー（４）とエアーバルブ（２）を結合して、通路付タッピングスクリューを内圧が減少したスプレー缶の側面上部にねじ込み、エアーバルブから空気等を供給することにより内容物の吐出を可能にする器具。
【請求項２】
「請求項１」の通路付タッピングスクリュー（４）とエアーバルブ（２）の間にスプレー缶破裂防止のためリリーフバルブ（５〜８）を追加した器具。
【考案の詳細な説明】
【技術分野】
【０００１】  本考案は、スプレー缶を加圧する器具に関するものである。
【背景技術】
【０００２】  内圧が減少して内容物を吐出できなくなったスプレー缶は、廃棄することが多かった。
【考案の概要】
【考案が解決しようとする課題】
【０００３】  内容物があるのに廃棄するのは経済的にも資源的にも環境的にもマイナスである。本考案は、一時的にスプレー缶を加圧して内容物の吐出を可能にしようとするものである。
【課題を解決するための手段】
【０００４】  図１〜図３により説明する。図中４のようにタッピングスクリューの内部に通路を設けたもの（以下、通路付タッピングスクリューと記す）とエアーバルブ２を結合して通路付タッピングスクリュー４を内圧が減少したスプレー缶の側面上部（内容物より上）にねじ込み、エアーバルブ２から調圧された空気等を供給することにより問題点を解決している。【０００５】  また、過剰加圧によるスプレー缶破裂の防止のため、通路付タッピングスクリュー４とエアーバルブ２の間にリリーフバルブ（図中５〜８により構成）を設けている。
【考案の効果】
【０００６】  上述のように、内圧が減少して吐出不能になったスプレー缶の側面上部に通路付タッピングスクリュー４をねじ込み、エアーバルブ２から空気等を供給することにより同スプレー缶を吐出可能にする。【０００７】  また、リリーフバルブ（図中５〜８により構成）を設けることにより過剰加圧によるスプレー缶破裂の防止を可能にする。
【図面の簡単な説明】
【０００８】
【図１】本考案器具の実施例を示す正面図の断面図である。
【図２】本考案器具の実施例を示す正面図である。
【図３】本考案器具の実施例を示す下面図である。
【考案を実施するための形態】
【０００９】  通路付タッピングスクリュー４とエアーバルブ２及びリリーフバルブ（図中５〜８により構成）をハンドル１を介して結合する。ハンドル１は通路付タッピングスクリュー４をスプレー缶にねじ込むときに手の力を伝えやすいようにする部分でもある。
【００１０】  通路付タッピングスクリュー４はタッピングスクリューの軸方向に頭部から先端方向に途中まで孔をあけ、さらにその孔の先端めがけて同タッピングスクリューの半径方向から孔をあけて通路を形成させる。また、通路付タッピングスクリュー４の頭部に雄ねじを切りハンドル１とねじ結合とする。
【００１１】  エアーバルブ２は自転車のチューブのものを利用する。ハンドル１にエアーバルブ２の雄ねじに合う雌ねじを切ってねじ結合とする。
【００１２】  リリーフバルブはバルブシート５とボール６とスプリング８とリリーフバルブ調整スクリュー７で構成される。
【００１３】  パッキン３はゴム板で製作しハンドル１とスプレー缶の間の気密を保つようにする。
【実施例１】
【００１４】  通路付タッピングスクリュー４は直径６ミリメートルのタッピングスクリューを熱処理を行って加工した。【００１５】  ハンドル１は軽いアルミ合金が好ましいが鋼で試作した。【００１６】  エアーバルブ２は自転車のチューブのものを利用した。これにより自転車用空気入れによる加圧が可能になる。【００１７】  バルブシート５は外形７ミリメートル、内径４ミリメートルのシリコンチューブを輪切りにして製作した。【００１８】  ボール６は市販の鋼球で直径５ミリメートルのものを使用した。【００１９】  スプリング８は市販の規格品を使用した。【００２０】  リリーフバルブ調整スクリュウー７は直径８ミリメートルのボルトを加工した。【００２１】  パッキン３は市販のゴム板を打ち抜いて製作した。
【実施例２】
【００２２】  実施例１の形態からリリーフバルブを取り除いた形態にしても、圧力計付空気入れ等を使用すれば安全に加圧することができる。
【符号の説明】
【００２３】    １  ハンドル
２  エアーバルブ
３  パッキン
４  通路付タッピングスクリュー
５  バルブシート
６  ボール
７  リリーフバルブ調整スクリュー
８  スプリング
【図１】
0003171586.tif 000003
【図２】
0003171586.tif 000004
【図３】
0003171586.tif 000005
【手続補正書】
【提出日】平成23年8月21日(2011.8.21)
【手続補正１】
【補正対象書類名】実用新案登録請求の範囲
【補正対象項目名】全文
【補正方法】変更
【補正の内容】
【実用新案登録請求の範囲】
【請求項１】
通路付タッピングスクリュー（４）とエアーバルブ（２）を結合して、通路付タッピングスクリューを内圧が減少したスプレー缶の側面上部にねじ込み、エアーバルブから空気等を供給することにより内容物の吐出を可能にするスプレー缶圧力補充器具。
【請求項２】
前記通路付タッピングスクリュー（４）と前記エアーバルブ（２）との間にスプレー缶破裂防止のためリリーフバルブ（５〜８）を追加した「請求項１」記載のスプレー缶圧力補充器具。
(57)【要約】      （修正有）【課題】スタンド花をお客様に持ち帰りしやすくし、またプロモーションの効果を出せるスタンド花を提供する。【解決手段】ラッピングペーパーを使い１本１本のバラを包む事により飾られている花を抜いて持ち帰りやすくした。また、バラの花の花びらにロゴ、メッセージ、写真画像を印字またはシールで貼り付けする事によりプロモーション効果も期待できるようになった。【選択図】図１
0003171589.tif 000002
【実用新案登録請求の範囲】
【請求項１】
バラの花びらに会社のロゴ、写真画像、メッセージを印字またはシールにて貼り付け、そのバラの花をラッピングペーパーにて包んだものを花専用吸水スポンジに挿して綺麗にアレンジしたスタンド花。
【考案の詳細な説明】
【技術分野】
【０００１】本考案は、メッセージやロゴをバラ１本１本にプリントしさらにお持ち帰りやすいようにラッピングをしたものをお祝い用のスタンド花に使用するものである。
【背景技術】
【０００２】スタンド花はもともとお祝い事の際、お客様がともに喜びをお持ち帰りいただけるようにと飾られるものである。しかし、従来のものはただ豪華な花を組み合わせたアレンジにしかなっていなかったので、印象も薄く持ち帰りにくかった。
【考案の概要】
【考案が解決しようとする課題】
【０００３】スタンド花をいかにお客様に持ち帰りやすく、またプロモーションの効果を出せるかが課題である。
【課題を解決するための手段】
【０００４】単にバラだけで装飾するのではなく、バラを１本１本ラッピングすることにより持ち帰りやすくなった。また、花びらにお客様のロゴおよびメッセージを入れることによりプロモーションの効果が期待できる。
【考案の効果】
【０００５】バラ１本ずつにメッセージやロゴを入れることによりお客様への印象も強く残り、またさらにラッピングすることにより、花のきらめき効果もあり、さらにお持ち帰りやすくなるので、お店のプロモーションアイテムとしても大きな効果を望める。
【図面の簡単な説明】
【０００６】
【図１】本考案のメッセージ付ラッピングスタンド花の実施例を示す正面図である。
【図２】本スタンド花に飾られているバラの１本図である。
【考案を実地するための形態】
【０００７】バラの切り花を色とりどりのラッピングするペーパーで包み花の方を少し見えるように出して茎のほうはラッピングペーパーを絞ってセロテープにて留める。それを花専用吸水スポンジが入っている桶に半円状になるように豪華に綺麗に挿していく。
【実地例】
【０００８】以下添付図面に従って一実施例を説明する。１は贈り主および送り先名を記入した木札、２はバラの花、３はバラの花を包んでいる色とりどりのラッピングペーパー、４は花専用吸水スポンジを入れている桶、５は４を支えるスタンド台、６はお客様の会社のロゴおよびメッセージを印字およびシールにてバラの花びらに貼り付けされた。
【０００９】５に４を置き、そこに２，３，６にて構成された商品を５に挿していく。それが終わると１を４に挿す。
【符号の説明】
【００１０】１  札
２  バラ
３  ラッピングペーパー
４  桶
５  スタンド台
６  印字およびシールにてバラの花びらに貼り付けされたメッセージ
【図１】
0003171589.tif 000003
【図２】
0003171589.tif 000004
(57)【要約】      （修正有）【課題】突然の停電に対応する緊急照明装置を提供する。【解決手段】リレー装置が停電を感知し、Ｂ接点より電流が流れＬＥＤ照明が点灯される。ＬＥＤを使うことにより長時間の照明が可能となる。バッテリーからの電気の供給が可能となる。緊急時の停電に対応し、照明を長時間（３〜５時間）可能とする。【選択図】図１
0003171570.tif 000002
【実用新案登録請求の範囲】
【請求項１】
緊急時の停電に対応し、照明を長時間（３〜５時間）可能とする。
【考案の詳細な説明】
【技術分野】
【考案の概要】
【考案が解決しようとする課題】
【０００１】長時間の照明と停電を感知しバッテリーより電気の供給が始まる．
【課題を解決するための手段】
【０００２】ＬＥＤ照明．リレー装置．
【考案の効果】
【０００３】突然の停電に長時間耐えられる照明
【図面の簡単な説明】
【０００４】
【図１】リレー装置が停電を感知し．Ｂ接点より電流が流れＬＥＤ照明が点灯される．
【図１】
0003171570.tif 000003
【手続補正書】
【提出日】平成23年8月12日(2011.8.12)
【手続補正１】
【補正対象書類名】実用新案登録請求の範囲
【補正対象項目名】全文
【補正方法】変更
【補正の内容】
【実用新案登録請求の範囲】
【請求項１】
１枚の太陽光パネルの発電をコントローラーを通じて、バッテリーＡに充電させ、インバーターを通してＡＣ１００Ｖに変換しＬＥＤ照明を点灯する。バッテリーＡの電圧が１１．０Ｖ以下になると、コントローラーの負荷が０となり、リレーを通して、バッテリＢに切替りＬＥＤ照明を維持します。0003171570.tif 000004
達すると、リレーが働きバッテリーＢからバッテリーＡに切替わりバッテリーＡが照明を維持します。バッテリーＢは切り替った際に必要に応じて充電器により充電されます。突然の停電に対して照明が切れることがなく、太陽パネルの発電エネルギーを無駄なくすべて使い切ることを特徴とする照明システム
(57)【要約】      （修正有）【課題】フリーザーバックを食器洗浄機の中で洗うことができる補助具を提供する。【解決手段】互いに中央部分で交差する２本の棒と、棒の端部の両方と交差するもう１本の棒とが組み合わされる。【選択図】図１
0003171566.tif 000002
【実用新案登録請求の範囲】
【請求項１】
フリーザーバックを食器洗浄機内で加熱して洗うために、お皿を洗う部分。
にたてられるようにしたいと考えた食器洗浄機用補助具。
【考案の詳細な説明】
【考案の詳細な説明】
フリーザーバックを使い捨てではなく、数回使えるようにしたいと考えた。
肉等を入れた場合油がなかなか落ちないのと、加熱処理しないと食中毒等の恐れがある。
そこで、直接皿を洗う部分にフリーザーバックをかけ洗ってみるが、内側がくっつき上手く洗えない。
また、水の勢いで外れてしまったり、水の重みで下に落ちてしまったりする。
この考案は、内側がくっついたり、袋自体が倒れたりしないようにするために、３本の棒を組み合わせた。実際に食器洗浄機の中で使用すると、倒れたり、内側がくっついてしまうことはない。
（使用上の注意）
袋の角に汚れが残る事があるので、汚れのひどい時には、先に軽く汚れを落としてから、使用するときれいに落ちる
フリーザーバックは洗えるが、ストックバックは熱に弱く洗えないので、使用しない。
あくまでも食中毒予防の手段のひとつである。
【図面の簡単な説明】
【図１】本案の側面図
【図２】本案の側面図に袋をかけた使用図
【図１】
0003171566.tif 000003
【図２】
0003171566.tif 000004
【手続補正書】
【提出日】平成23年5月25日(2011.5.25)
【手続補正１】
【補正対象書類名】実用新案登録請求の範囲
【補正対象項目名】全文
【補正方法】変更
【補正の内容】
【実用新案登録請求の範囲】
【請求項１】
フリーザーバックを食器洗浄機内で加熱して洗うために、お皿を洗う部分にたてられるようにしたいと考えた食器洗浄機用補助具。
【手続補正書】
【提出日】平成23年8月18日(2011.8.18)
【手続補正１】
【補正対象書類名】実用新案登録請求の範囲
【補正対象項目名】全文
【補正方法】変更
【補正の内容】
【実用新案登録請求の範囲】
【請求項１】
お互いの中央部分で交差する２本の棒と前記２本の棒の端部の両方と交差するもう１本の棒とが組み合わされた食器洗浄機用補助具。
(57)【要約】      （修正有）【課題】握り棒が不要で、十分な強度を持ち、収納時に小さくなる二枚折りたたみ式のうちわを提供する。【解決手段】１枚の四辺形のうちわの中心に二ッ折り用の折り目を設け、うちわの両側に指先固定用の貫通孔を設ける。【選択図】図１
0003171569.tif 000002
【実用新案登録請求の範囲】
【請求項１】
１枚の四辺形の大きいうちわの中心より、二ッ折りにして１枚で使用を目的可能にする事の出来る事を特微とする二ッ折り式のうちわ。
【請求項２】
１枚の四辺形のうちわの両側に、二ッ折りをした時に指先固定用の貫通孔（３）を施こした事を特微とするうちわ。
【請求項３】
１枚の四辺形のうちわの両側に、二ッ折りをした時に指先固定用の貫通孔（３）の内、片側孔部に相手孔に差し込み本体強度固定用のベロ片（４）を残した事を特微とするうちわ。
【請求項４】
１枚の四辺形のうちわの４片の角辺（５）を、半円状に切除をして１枚のうちわを二ッ折りにして使用する事を特微とするうちわ。
【考案の詳細な説明】
【技術分野】
【０００１】  この考案は、うちわの握り棒を失くして一枚のうちわを中心部より二ッ折りにしたうちわに関するものである。
【背景技術】
【０００２】  従来、うちわは、ほぼ円型状と決っており、又ほとんどのうちわには握りの為の棒が取り付いていて型も大きく収納時に不便だった。
【考案の開示】
【考案が解決しようとする課題】
【０００３】  しかし握り棒を失くすと単なる１枚の丸紙片に成りうちわとしては非常に使い難く、又大きさ的にもほとんど小さくは成らなかった。
本考案は、以上の欠点をなくす為になされたものである。
【課題を解決するための手段】
【０００４】  うちわ本体の型状を丸型形状から、１枚の四辺形状の大きな１枚のうちわに変更する。
そして更にその四辺形のうちわの中心部より二ッ折りに折りたたんで使用を可能にする。
又、その時に、二ッ折りをし使用する時に指先固定孔を施こして置く。
更に指先固定孔の片側孔部にベロ片（４）を残し、うちわ４角部を半円状に切除する事を特微とする。
本考安は以上の様な構造から成るうちわである。
【考案の効果】
【０００５】  うちわ本体から握り棒を失くした事により、うちわが従来よりも非常に小さく成った。
又、うちわを二ッ折りにする事により更に小さく成り本体の機械的な強度も強まり、二ッ折りをして両側より合わさる部分に指先固定孔を開設した為に自分の指の力にて固定させられる為に握り棒も不要と成った。
又、うちわ本体が多面形状から角片を丸く切除した為に指や顔へのケガ等にも安全を考慮されていて非常に良いうちわが完成をした。
更に、二重効果として宣伝用ビラ、広告、写真等を記載出来て効果は大である。
【考案を実施するための最良の形態】
【０００６】  以下、本考案の実施の形態について説明する。
（イ）うちわ本体（１）は、四辺形の型状をしており、その中心部に二ッ折り用の折り目（２）を設ける。
（ロ）うちわ本体（１）を、二ッ折りにした時に、両側が重なる任意な所に指先を入れてうちわ本体を固定する為の指先貫通孔（３）を両側に設ける。
（ハ）又、この指先貫通孔（３）の片側貫通孔には、ベロ片（４）を設ける。
（ニ）更に、うちわの４角部は人間へのケガ防止の為に半円状に切り落す。
本案を使用する時は、うちわ本体（１）を、中心部より二ッ折りに折り曲げて使用をし、更に開孔部を合わして片側のベロ片（４）を相手側貫通孔より挿入して、出て来たベロ片（４）をうちわ本体補強の為に、更にもう一度折り曲げて補強をし、貫通孔に自分の指を１本入れて固定をして、うちわ本体を顔の左右に動かして風を送る。
そうすると、二ッ折りをしたうちわは握り棒も必要無くて、送風には、十分な強度を持った収納時にも小さく成り、人体へのケガも無い安全で安価な広告、宣伝も載せられるコンパクトなうちわが完成をする。
【図面の簡単な説明】
【０００７】
【図１】本考案の斜視図である。
【図２】本考案の一部を拡大した斜面図である。
【図３】本考案の実施例の斜面図である。
【図４】本考案の使用中の斜面図である。
【符号の説明】
【０００８】      １、うちわ本体
２、中心の折り目
３、貫通孔
４、ベロ片
５、角辺
【図１】
0003171569.tif 000003
【図２】
0003171569.tif 000004
【図３】
0003171569.tif 000005
【図４】
0003171569.tif 000006
【手続補正書】
【提出日】平成23年8月3日(2011.8.3)
【手続補正１】
【補正対象書類名】実用新案登録請求の範囲
【補正対象項目名】請求項１
【補正方法】変更
【補正の内容】
【請求項１】
１枚の四辺形のうちわの中心に二ツ折り用の折り目を設けた事を特徴とするうちわ。
【手続補正２】
【補正対象書類名】実用新案登録請求の範囲
【補正対象項目名】請求項４
【補正方法】変更
【補正の内容】
【請求項４】
１枚の四辺形のうちわの四辺の角片（５）を半円状に切除したうちわで有って二ツ折り用の折り目を特徴としたうちわ。
【手続補正３】
【補正対象書類名】明細書
【補正対象項目名】０００４
【補正方法】変更
【補正の内容】
【０００４】うちわ本体の型状を丸型形状から、１枚の四辺形状の大きな１枚のうちわに変更をする。
そして更にその四辺形のうちわの中心部より二ツ折りに折りたたんで使用を可能にする。
更にその四辺形のうちわの四辺の角辺（５）を半円状に切除をする。
又、その時に二ツ折りにして使用をする時に指先固定孔を施こして置く。
更に指先固定孔の片側孔部にベロ片（４）を残しうちわの４角部を半円状に切除をする事を特徴とする。
本考案は以上の様な構造から成るうちわである。
【手続補正４】
【補正対象書類名】図面
【補正対象項目名】図４
【補正方法】変更
【補正の内容】
【図４】
0003171569.tif 000007
(57)【要約】      （修正有）【課題】原子炉をいかなる時でも緊急に安全停止できる原子力発電の原子炉安全停止装置を提供する。【解決手段】原子力発電は水を大量に使うので、大量の水を備蓄して置くこと何か有った時この水で対応する。原子力発電は大量の水が必要、そこで原子力炉の近くに４５００リットル水蓄える水槽を設置する。ただし水槽の高さは原子炉より高い位置に設置する。原子炉内に水が流れる様にし、高い位置からの水圧により自動的に水が原子炉に入る様にする。原子炉中の水が少なくなって、蒸気圧力が高くても原子炉の中に水を入れる事が出来る。【選択図】図１
0003171567.tif 000002
【実用新案登録請求の範囲】
【請求項１】
原子力発電に私が考案した装置を取り付け設置することにより原子炉を安全かつ速やかに停止できる
【考案の詳細な説明】
【考案の詳細な説明】
【産業上の利用分野】
【０００１】今ある日本国内の原子力発電は発電を停止する事が非常に難しい
簡単に原子炉を安全停止できるようにした
原子力事故を無に近いようにした
特に非常事態の時効果がある
コストが安い、かんたんで誰でも原子炉を停止出来る
【背景技術】
【０００２】原子力発電は核廃棄物を地上に出さないようにするだけの対策がしてある
地震対策も出来ている、揺れに強く出来ている
【考案が解決しようとする課題】
【０００３】原子炉をいかなる時でも緊急に安全停止できることそれも簡単に
【問題を解決するための手段】
【０００４】原子力発電は大量の水が必要そこで原子力炉の近くに４５００リットル水蓄える水槽を設置ただし水槽の高さは原子炉より高い位置に設置すること
原子炉内に水が流れる様にする、高い位置からの水圧により自動に水が原子炉に入る様にする
【作用】
【０００５】原子炉中の水が少なくなって、蒸気圧力が高くても原子炉の中に水を入れる事が出来る
水槽の水を自動に炉の中に入れる
【実施例】
【０００６】以下、本案の実施例について説明をする
（ア）まず原子炉の近くに、原子炉よりも高い位置に原子炉で使う水の三倍近くの水、４５００リットル水槽を作る
（イ）水槽にいつも水が満タンになるようにする
（ウ）水槽に水を入れる（１）パイプの先に（５）水停止弁を取り付ける
（エ）水槽の水を使用済み核燃料の保管場所の水槽に（２）パイプで取り付ける
水槽の下から保管場所の水槽に（２）パイプを取り付ける
（オ）（２）パイプの途中に（７）バルブを取り付ける
（カ）核保管場所の水槽の水が漏れないように（２）パイプの先に（６）水停止弁を取り付ける
（キ）水槽の下から原子炉中にある圧力容器の出来る限り低い位置に（３）パイプで取り付ける
（ク）その（３）パイプの途中に（９）バルブを取り付ける
（ケ）圧力容器の出来るだけの高い位置に（４）パイプを取り付け、水槽の下から圧力容器の中に水を入れる（３）パイプの途中に取り付けた（９）バルブと圧力容器の間に（４）パイプを繋ぐ
（コ）圧力容器からタービン室に繋がっているパイプに（１０）バルブを取り付ける
（サ）タービン室から圧力容器繋がっているパイプに（１１）バルブ取り付ける
【今の原子炉欠点】
【０００７】今の原子力発電は原子炉を始動する時は問題がないが、原子炉を停止する時は大変
正常の時原子炉を停止す時、圧力容器中の温度や圧力を調整しながら停止する
原子炉を緊急停止すると圧力容器内の温度や圧力の調整が非常に難しくなる
圧力容器内に水を入れるタイミングが非常に難しい
圧力容器内に水をあふれさせると蒸気を取り出すパイプに水が流れていきタービンにかかり破損させる事がある
図で示している圧力容器内で赤い線の上か下で耐用が変わる
水を圧力容器に入れるタイミングが遅くなると圧力容器の中に水が入らなくなる
圧力容器内に水を入れるパイプが赤い線の上に取り付いていると水が蒸気圧力のために水が入らない
核燃料が熱くなっている時水を核燃料上から水を掛ける事になり一瞬に蒸気になる
蒸気が圧力容器の圧力を高くする
水を圧力容器の中にいれ核燃料を冷やす、すると今度は水が蒸気になり圧力が高くするジレンマ
図１圧力容器内に赤い線になると赤い線よりも高い位置からの水を入れることができない、蒸気圧力のため
青い線の時の水の位置だとその下からは水を入れる事が出来る
何かが起きた時海水で耐用とるつもり
【考案の効果】
【０００８】原子炉を緊急停止した時原子炉からタービンに繋がるパイプに取り付けた（１０）バルブを閉じる
タービン室から圧力容器の中に水を取り込むパイプに取り付けた（１１）バルブを閉じる
水槽の下に取り付けた（２）パイプ、使用済み核燃料冷やす水槽その（２）パイプに取り付けた（７）バルブを緩めて水槽に水を入れて使用済核燃料を冷やす
使用済み核燃料水槽は絶えず水が一杯にするためパイプの先端に（６）を取り付ける
水槽低い位置に取り付けた（３）パイプから圧力容器の低い位置に取り付け（３）パイプの途中に取り付けた（９）バルブを緩めて圧力容器に水を入れる
圧力容器内は一杯に水を入れる
圧力容器の高い位置に取り付けた（４）パイプは水槽から圧力容器内に水を入る（３）パイプに繋ぐ、その（４）パイプの途中に取り付けた（８）バルブを緩めて蒸気圧力をさけながら圧力容器に水を入れていく
（３）パイプ水と（４）蒸気が一緒に圧力容器内に流れていく
使用済み核燃料水槽に水は自然に入る
圧力容器に水は自然に入る
圧力容器の圧力も自然に下げる事が出来る
図  配管に青の矢印が書いてあるがそれは水と蒸気の流れをしめしている
【図面の簡単な説明】
【図１】本考案の図である
【符号の説明】（１）  パイプ、  １
（２）  パイプ    ２
（３）  パイプ    ３
（４）  パイプ    ４
（５）  パイプの先に取り付ける弁  １
（６）  パイプの先に取り付ける弁  ２
（７）  バルブ    １
（８）  バルブ    ２
（９）  バルブ    ３
（１０）バルブ    ４
（１１）バルブ    ５
【図１】
0003171567.tif 000003
【手続補正書】
【提出日】平成23年6月22日(2011.6.22)
【手続補正１】
【補正対象書類名】実用新案登録請求の範囲
【補正対象項目名】全文
【補正方法】変更
【補正の内容】
【実用新案登録請求の範囲】
【請求項１】
原子炉圧力容器の上に貯水槽を設置しパイプで貯水槽下部と原子炉圧力容器下部に繋ぎそのパイプの途中に別のパイプを繋いで原子炉圧力容器の上部に取り付けそれぞれのパイプにバルブを取り付け、貯水槽から使用済み燃料保管場所にパイプで繋ぎパイプ先端に弁、途中にバルブを取り付けることを特徴とした、原子力発電の原子炉を安全停止装置
(57)【要約】      （修正有）【課題】音質と音色ともに優れるヘッドホンを提供する。【解決手段】本ヘッドホンはイヤーパッド５、カバー４、ハウジング１、ハンガー２およびスピーカー３で構成されている。スピーカー３はスピーカーコイル１０の上側に半球面形状振動板６を設ける。半球面形状振動板６には上側にカバー半球面とカバー半球面８を設け、ブリッジ１２を介してカバー半球面とカバー半球面８とカバー４を連結させる。カバー半球面８の上に一つ以上の音が出る穴９を開ける。半球面形状振動板６とカバー半球面の隙間は０．３ｍｍ〜１．５ｍｍとし、音が出る穴９の穴径は０．２ｍｍ〜１０ｍｍとする。音の表現が変えられるだけではなく、中高域の音を調整することもでき、中高域の音圧は１ｄＢ以上の調整ができる。【選択図】図２
0003171553.tif 000002
【実用新案登録請求の範囲】
【請求項１】
イヤーパッド（５）、カバー（４）、ハウジング（１）、ハンガー（２）およびスピーカー（３）で構成し、
スピーカー（３）は、スピーカーコイル（１０）の上側に半球面形状振動板（６）を設けてなり、
半球面形状振動板（６）の上側には、カバー半球面（７）とカバー半球面（８）を設けてあることを特徴とする、ヘッドホン。
【請求項２】
カバー半球面（７）、カバー半球面（８）、及びカバー（４）をブリッジ（１２）を介して連結してある、請求項１に記載のヘッドホン。
【請求項３】
カバー半球面（８）の上に、一つ以上の音が出る穴（９）を開けてある、請求項１に記載のヘッドホン。
【請求項４】
半球面形状振動板（６）とカバー半球面（７）の隙間は０．３ｍｍ〜１．５ｍｍである、請求項１に記載のヘッドホン。
【請求項５】
音が出る穴（９）の穴径は０．２ｍｍ〜１０ｍｍである、請求項３に記載のヘッドホン。
【考案の詳細な説明】
【技術分野】
【０００１】
本考案は、ヘッドホンの構造に関するものである。
【背景技術】
【０００２】
通常従来のヘッドホンのカバーは簡単な外観で、外に露出していない。それに、伸縮性のある材料のイヤーパッドで覆われるので、特別な構造のカバーによる音の改良がなされていない。
【考案の概要】
【考案が解決しようとする課題】
【０００３】
本考案は、構造を変えることにより、音質と音色ともに優れるヘッドホンを提供することを目的とするものである。
【課題を解決するための手段】
【０００４】
本考案に係るヘッドホンは、イヤーパッド（５）、カバー（４）、ハウジング（１）、ハンガー（２）およびスピーカー（３）で構成されている。
【０００５】
スピーカー（３）は、スピーカーコイル（１０）の上側に半球面形状振動板（６）を設けてなる。
【０００６】
半球面形状振動板（６）には、上側にカバー半球面（７）とカバー半球面（８）を設け、ブリッジ（１２）を介してカバー半球面（７）とカバー半球面（８）とカバー（４）を連結させている。
【０００７】
カバー半球面（８）の上には、一つ以上の音が出る穴（９）を開ける。
【０００８】
半球面形状振動板（６）とカバー半球面（７）の隙間は０．３ｍｍ〜１．５ｍｍとし、音が出る穴（９）の穴径は０．２ｍｍ〜１０ｍｍとする。
【考案の効果】
【０００９】
本考案に係るヘッドホンは、音の表現が変えられるだけではなく、中高域の音を調整することもでき、中高域の音圧は１ｄＢ以上の調整ができる。
【図面の簡単な説明】
【００１０】
【図１】本考案の立体図。
【図２】本考案の立体組み立て図。
【図３】本考案の断面図。
【図４】本考案の正面図。
【図５】本考案の側面図。
【図６】本考案の側面図。
【図７】従来の技術のイヤーパッドを外した時の立体図。
【図８】従来の技術の断面図。
【考案を実施するための形態】
【００１１】
以下、本考案の実施の形態を、各図に基づいて説明する。
【実施例】
【００１２】
ヘッドホンはイヤーパッド（５）、カバー（４）、ハウジング（１）、ハンガー（２）およびスピーカー（３）で構成されている。
【００１３】
スピーカー（３）は、内部にスピーカーコイル（１０）を設け、その上側に半球面形状振動板（６）を設けている。
【００１４】
半球面形状振動板（６）には、その上側にカバー半球面（７）とカバー半球面（８）を設け、ブリッジ（１２）を介してカバー半球面（７）とカバー半球面（８）とカバー（４）を連結させる。
【００１５】
カバー半球面（８）の上に一つ以上の音が出る穴（９）を開ける。
【００１６】
半球面形状振動板（６）とカバー半球面（７）の隙間は０．３ｍｍ〜１．５ｍｍとし、音が出る穴（９）の穴径は０．２ｍｍ〜１０ｍｍとする。
【００１７】
音の出る穴（９）の数は必要数を選ぶことができる。
【００１８】
半球面形状振動板（６）とカバー半球面（７）の隙間を０．３ｍｍ〜１．５ｍｍの間で調整することによって音圧が調整できる。
【００１９】
カバー半球面（８）の外径を調整すると、中高域の音の大小が変えられる。
【００２０】
また、音が出る穴（９）の穴径を０．２ｍｍ〜１０ｍｍの間で調整することによって音の調整ができる。
【符号の説明】
【００２１】
１  ：ハウジング
２  ：ハンガー
３  ：スピーカー
４  ：カバー
５  ：伸縮性のある材料のイヤーパッド
６  ：スピーカー振動板半球面形状部
７  ：カバー半球面構造１
８  ：カバー半球面構造２
９  ：カバー半球面上の穴
１０：スピーカーコイル
１１：従来の穴が開いているだけのカバー
１２：ブリッジ
【図１】
0003171553.tif 000003
【図２】
0003171553.tif 000004
【図３】
0003171553.tif 000005
【図４】
0003171553.tif 000006
【図５】
0003171553.tif 000007
【図６】
0003171553.tif 000008
【図７】
0003171553.tif 000009
【図８】
0003171553.tif 000010
(57)【要約】      （修正有）【課題】自動車から離れた後で、ドアの施錠をしたかどうかを確認できるキーレスエントリーシステム用携帯機を提供する。【解決手段】キーレスエントリーシステムの携帯機の操作により、車載部の作動によって自動車のドアが施錠されるとともに、携帯機へ施錠実施情報を無線信号として発信し、この施錠実施情報を受け取った携帯機は内蔵された記憶媒体に記憶できるようにする。また、自動車から離れた状態にあっても、記憶媒体から施錠情報を読み出すことで、施錠状態を確認できる。これにより、自動車のドアの施錠の有無が携帯機によって確認できるため、未施錠に対する不安が解消できる。【選択図】図２
0003171519.tif 000002
【実用新案登録請求の範囲】
【請求項１】
キーレスエントリーシステムの携帯機（１）が携帯機側発信装置（５）と、携帯機側受信装置（６）と、施錠/解錠情報記憶装置（７）と、施錠状態表示装置（８）と、施錠/解錠実施スイッチ（３）と、施錠/解錠状態確認スイッチ（４）で構成されることを特徴とする自動車のキーレスエントリーシステム用携帯機。
【考案の詳細な説明】
【技術分野】
【０００１】
本考案は、物理的な鍵を使わず、運転者が持ち運べる携帯機の操作によって、自動車に搭載された車載部との無線通信をすることで、自動車のドアを施錠、もしくは解錠をする装置である、いわゆるキーレスエントリーシステムに関するものである。
【背景技術】
【０００２】
従来のキーレスエントリーシステムによる自動車の施錠状態を確認する方法としては、携帯機によって車載部を遠隔操作することで、ハザードランプの点滅を視認することで施錠を確認するものや、サイドミラーの開閉を視認するものがある。
【０００３】
また、自動車の室内に取り付けられた発光表示を視認することで、施錠状態を確認できる視認方法が先行技術文献で紹介されている。
【０００４】
これは、車外から見える位置に異なる色の確認ランプを設け、いずれか一方の確認ランプを遠隔操作による施錠時のみに点灯させ、他方の確認ランプを解錠時のみに点灯させ、そのいずれかの確認ランプを視認することで施錠状態を確認しようというものであり、自動車が視認できる位置に運転者がある場合は非常に有効と思われる。
【先行技術文献】
【特許文献】
【０００５】
【特許文献１】特開平９−２１２５８
【考案の概要】
【考案が解決しようとする課題】
【０００６】
解決しようとする課題として、これまでのキーレスエントリーシステムでは、運転者から目視できない位置に自動車があり、かつ自動車のドアの施錠の実施を運転者が記憶していない場合、また施錠の実施に自信がない場合、自動車の見える位置まで戻らなければ、施錠の有無を確認することができなかった。
【０００７】
具体的にいうと、施錠を行ったような気がするが自信がない。自動車の駐車位置まで戻るに遠い。というジレンマは運転者にとっては非常なストレスとなる場合もある。
【課題を解決するための手段】
【０００８】
課題を解決する手段として、キーレスエントリーシステムの携帯機の施錠スイッチを操作することにより、自動車のドアの施錠が実施され、この施錠実施情報を車載部が無線通信により携帯機に送信し、携帯機の記憶媒体が施錠情報を記憶させる。
【０００９】
そして、自動車を確認できない位置にあっても、運転者は必要に応じて施錠の情報を携帯機の記憶媒体から施錠情報を読み出して、施錠の有無を確認できるようにするものである。
【考案の効果】
【００１０】
これにより、自動車のドアの施錠の有無が携帯機によって確認できるため、未施錠に対する不安が解消できる。また、施錠か未施錠かを自動車から離れた場所にあっても運転者は確認できるため、施錠状態であるならば駐車位置まで戻る手間をはぶくことができ、未施錠状態であるならば車載部との無線通信ができる位置まで戻り施錠することができる。
【図面の簡単な説明】
【００１１】
【図１】図１は携帯機の外観を示した説明図である。
【図２】図２は施錠確認をするための、携帯機と車載部の信号の流れを示す経路図である。
【考案を実施するための形態】
【００１２】
携帯機から無線送信された信号を車載部が受け取り、自動車のドアの施錠を実施するとともに、車載部は施錠情報を携帯機に送信する。携帯機は受け取った施錠情報を記憶する記憶装置と、必要に応じて施錠情報を表示するための施錠状態を示す表示部を備える。
【実施例１】
【００１３】
自動車のドアが解錠状態であるとき、携帯機（１）設けられた施錠／解錠実施スイッチ（３）を操作すると、施錠／解錠指令信号が発せられ、その信号はaの経路を通り、携帯機側発信装置（５）に伝えられる。
【００１４】
そして携帯機側発信装置（５）から無線信号として施錠／解錠指令信号は送信され、bの経路を通って車載部（２）に設けられた車載部側受信装置（（９）へと伝えられ、さらにcの経路で施錠／解錠実施装置（１０）へ伝えられる。
【００１５】
このとき自動車のドアが解錠状態であるので、施錠／解錠実施装置（１０）は施錠を選択し自動車のドアは施錠される。
【００１６】
これと同時に、施錠が実施されたという情報は施錠実施信号となって、dの経路を通って車載部側発信装置（１１）に伝えられ、無線信号としてeの経路を通って携帯機（１）に設けられた携帯機側受信器（６）に伝えられ、さらに施錠実施信号はfの経路を通って施錠／解錠情報記憶装置（７）へ伝えられ、施錠実施情報としてここへ蓄えられる仕組みである。
【００１７】
運転者が自動車を離れて車体が目視できない場所まで行き、自動車のドアの施錠状態の確認が必要となった場合、施錠／解錠状態確認スイッチ（４）を操作すると施錠状態確認信号が発せられ、その信号はgの経路を通って施錠／解錠情報記憶装置（７）に伝えられる。
【００１８】
このとき、施錠／解錠情報記憶装置（７）に蓄えられているのは施錠実施情報であるので、施錠実施信号として読みだされ、施錠実施信号はhの経路を通り、施錠／解錠状態表示装置（８）へ伝えられる。
【００１９】
施錠実施信号が伝えられた施錠／解錠状態表示装置（８）は、運転者にとって施錠状態が直感的に認識しやすいように、例えば緑色で発光表示し、施錠されておらず、施錠／解錠表示装置（８）に解錠状態である旨の信号が伝えられた場合、例えば赤色で発光表示するように設定すると直感的に判断しやすい。
【００２０】
また、携帯機の施錠／解錠情報の表示方法として、色彩発光表示以外にも点滅回数による表示や、液晶による文字表示も考えられる。
【実施例２】
【００２１】
１    携帯機（点線に囲まれた部分）
２    車載部（点線に囲まれた部分）
３    施錠／解錠実施スイッチ
４    施錠／解錠状態確認スイッチ
５    携帯機側発信装置
６    携帯機側受信装置
７    施錠／解錠情報記憶装置
８    施錠状態表示装置
９    車載部側受信装置
１０  施錠／解錠実施装置
１１  車載部側送信装置
【図１】
0003171519.tif 000003
【図２】
0003171519.tif 000004
(57)【要約】【課題】健常者（四肢の存在する）で体の硬化等によりクツ下がはけなくなった人がクツ下をはける様に考案された補助具を提供する。【解決手段】鉗子（通常ガーゼや脱脂綿をはさむ器具）の先端を長方形の環状にそれぞれ加工しクツ下にさし入れ長方形の開口部が出来る様にし、又鉗子としてクツ下を引っ張り上げられる様考案したクツ下をはく為の補助具、使用法が単純でシンプルな特長を持つ【選択図】図１
0003171452.tif 000002
【実用新案登録請求の範囲】
【請求項１】
布地（たとえばクツ下）を剪んでつかむ事の出来る鉗子であって鉗子の両先端をクツ下にさし込んで開くと長方形の口を、形成する事の出来る、各先端が長方形に環状加工された物であり、足の五指及び足の甲の前半部をその長方形の口にさし入れて鉗子をそっと抜き取り、クツ下を剪んで引っ張り上げてクツ下をはける様にしたクツ下をはくための補助具。
【考案の詳細な説明】
【技術分野】
【０００１】クツ下を自力ではく事が困難な健常者（四肢は存在する）で主として体の硬化等の理由により足先まで手が届か無くなってクツ下がはけなくなった人の困難を解消する補助具
【背景技術】
【０００２】１９９３年１０月に施行された（通称福祉用具法）でクツ下をはく事の困難者の為の補助具は「福祉用具」という概念に相当する。
【先行技術文献】
【０００３】一般社団法人岡山県発明協会で調査していただいた先行技術簡易調査によるとクツ下を自力ではく為の補助具として約３０件の出願がなされているがクツ下を自力ではく為の補助具としては鉗子状の器具は無いとの結果であった。その内、
【０００４】
【特許文献】
【特許文献】特許第４５００３６７号［発明の名称］靴下装着補助具
【０００５】
【非特許文献】
【非特許文献】実用新案登録第３１１６６３０号が知られている。名称は靴下類の装着補助具である
【考案の概要】
【０００６】鉗子の各先端が長方形の環状をなし、クツ下にさし込んで開くと足の先端五指と足の甲の前半部が長方形の開口部にさし入れる事が可能となる。その後、鉗子を抜き取りクツ下を剪んで上方に引き上げる
【考案が解決しようとする課題】
【０００７】考案者も３年程前からそのままではクツ下がはけない状態の高令者であり特に秋、冬、春にはクツ下がはけない事は重大な解決を必要とする。又風呂に入浴する時々はクツ下をぬがなければならないので入浴は苦痛である。
そして入浴する時は靴下をはいたまま入浴し、冬期靴下をはくには３０分位時間をかけて苦しんでいた。入浴回数も少なくせざるを得なかった。現代、全世帯の３割程度が独居世帯であり、その内老人がかなりの割合いを占めていると推定される。私と同じ問題を抱えている人の数も多いと推定される。
【課題を解決するための手段】
【０００８】靴下をはくと言う行為をよく考察すると、足の五指全部をクツ下に入れる事が出来れば、あとは上方へ靴下を引っ張れば良い。靴下の布は丈夫なので思い切り引っ張り上げればクツ下ははける事になる。ただクツ下は布なのでそのまま器具をさし入れて開いても線状になり足の五指は入らない。使用法が単純でシンプルな器具として先端を加工した鉗子を考案した。
【考案の効果】
【０００９】手が今にも届きそうで届かない困難が解決した。
最初は少し困難が有るが必ずクツ下がはける事となった。
【図面の簡単な説明】
【図１】図１は考案した鉗子の全体図である。
【図２】図２はこの鉗子を用いて靴下の口部分を長方形に開口した斜視図である。
【考案を実施するための最良の形態】
【００１０】シンプルで使用法が単純である事が大切である
【実施例】
【００１１】考案者は肥満と身体の硬化の為クツ下をはく事が殆んど出来なかったが問題が解決した。
【産業上の利用可能性】
【００１２】老人の入浴介護の軽減、自立的生活の向上の為の福祉用具として安価に製造可能である。
【図１】
0003171452.tif 000003
【図２】
0003171452.tif 000004
(57)【要約】      （修正有）【課題】把持部を取り付け直すことなく、左利き用にも右利き用にも使える鏝板を提供する。【解決手段】鏝板の形状を、角部を曲線または直線で面取りした正方形とし、鏝板裏面において、鏝板の対角線中心が把持部の中心となるように対角線上に把持部を配置し、梁部は把持部両端においてそれぞれ該把持部と直交し、かつ直交位置が梁部中心となるよう配置するとともに、両梁部の端部が、正方形である鏝板各辺と同じあるいは内側に位置する形態にする。【選択図】図８
0003171456.tif 000002
【実用新案登録請求の範囲】
【請求項１】
鏝板の形状を、角部を曲線または直線で面取りした正方形とし、鏝板裏面において、鏝板の対角線中心が把持部の中心となるように対角線上に把持部を配置し、梁部は把持部両端においてそれぞれ該把持部と直交し、かつ直交位置が梁部中心となるよう配置するとともに、両梁部の端部が、正方形である鏝板各辺と同じあるいは内側に位置する形態であることを特徴とする鏝板。
【考案の詳細な説明】
【技術分野】
【０００１】  本考案は漆喰、聚楽、珪藻土等の塗り壁材、モルタルあるいはパテなどの可塑化された材料（以下「壁材等」という）を塗る時に使用する鏝板に関するものである。
【背景技術】
【０００２】  通常、鏝板の形状は略長方形である。壁材等を塗る時、作業者は、鏝板の長辺が壁に平行になるように鏝板を保持する。これにより、作業者は壁と正対することになり、鏝等を真直ぐ壁へ向かって押し出すことによって、鏝板上の壁材等を鏝の裏面にすくい上げ、最短距離で壁に塗り付ける。
従来の鏝板は、鏝板の裏面に、相対する長辺に対して平行になるように、各長辺より鏝板の内側に梁部をそれぞれ設け、該両梁部に対して錯角が略４５度の角度となるように把持部を取り付ける。把持部を握れば、無理なく鏝板の長辺が壁と平行になる構造になっている。すなわち把持部と鏝板の長辺は略４５度の角度を形成している。
しかし、図１〜図３に示すように、鏝板の把持部は右利きの人が使用する、すなわち左手で鏝板を保持することを前提に取り付けられているため、右利き用の鏝板を左利きの作業者が使用すると略長方形の短辺が壁と平行になり、壁材等の塗り付けの作業性が低下する。
【先行技術文献】
【特許文献】
【０００３】
【特許文献１】  実用新案登録３１３０７６９号
【０００４】
【非特許文献１】  「ＫＹＯＫＵＴＯ  総合カタログ  インテリア業務用  Ｎｏ．１１」極東産機株式会社Ｐ．１６３アルミパテ板
【考案の概要】
【考案が解決しようとする課題】
【０００５】  図１〜図３に示すように従来の鏝板は右利きの作業者が使うことを前提とし、左利きの作業者が使用する時は把持部を外して図４に示すように左利き用に取り付け直していた。【０００６】  また、図５〜図７に示すように鏝板の裏面に、鏝板の略長方形の辺のうち、相対する短辺に対して平行になり、それぞれの短辺を通る鉛直面と同一面を有する梁部を、鏝板の内側にそれぞれ設け、該両梁部の中央で、該両梁部と直交する把持部を取り付けた右利き及び左利き兼用の鏝板も従来から販売されている。
しかし、該兼用鏝板の長辺を壁と平行にした状態に保つためには、把持部を握っている作業者の手首を屈曲させなければならず、不自然な姿勢の作業になる。
【課題を解決するための手段】
【０００７】  鏝板の形状を正方形とし、鏝板の対角線中心が把持部の中心となるように対角線上に把持部を配置する。
さらに梁部は把持部の両端でそれぞれ直交、かつ、直交位置が梁部中心となるように取り付け、両梁部の端部が、正方形である鏝板各辺と同じあるいは内側に位置する形態にすることによって解決する。
【考案の効果】
【０００８】  鏝板の対角線上に把持部を配置することによって、鏝板の辺のうち、壁と平行になる辺と把持部が形成する角度は４５度になる。【０００９】  鏝板の形状が正方形であるから、従来の鏝板のように長辺、短辺の区別がなく、鏝板を左手から右手、または右手から左手に持ち替える、すなわち鏝板を９０度回転させるだけで、把持部を取り付け直すことなく、左利き用にも右利き用にも使える。【００１０】  作業員が右利きであれば、鏝、へら等に付着した余分な壁材等を、壁と直交する鏝板の右側の辺でそぎ落とすことが多い。このため鏝板の該辺部は著しく磨耗するが、鏝板を１８０度回転させれば、壁と直交する鏝板の左側の辺が右側になり、右利きの作業員は磨耗がない辺で再びそぎ落とすことができるので、該鏝板の寿命が延びる。
【考案を実施するための形態】
【００１１】  鏝板の形状を、角部を曲線または直線で面取りした正方形とし、鏝板裏面において、鏝板の対角線中心が把持部の中心となるように対角線上に把持部を配置し、梁部は把持部両端においてそれぞれ該把持部と直交し、かつ直交位置が梁部中心となるよう配置するとともに、両梁部の端部が、正方形である鏝板各辺と同じあるいは内側に位置する形態にする。
【実施例】
【００１２】  本考案を図において説明すると、図８〜１１に示すとおり、鏝板１の形状を、角部を曲線または直線で面取りした正方形とし、鏝板裏面において、鏝板の対角線中心が把持部２の中心となるように対角線上に把持部を配置し、梁部３は把持部両端においてそれぞれ該把持部と直交し、かつ直交位置が梁部中心となるよう配置するとともに、両梁部の端部が鏝板各辺４と同じあるいは内側に位置する形態にする。
【図面の簡単な説明】
【００１３】
【図１】従来の鏝板の平面図である。
【図２】従来の鏝板の底面図である。
【図３】従来の鏝板のＡ矢視図である。
【図４】従来の鏝板の、把持部を左利き用に付け替えた平面図である。
【図５】他の従来の鏝板の平面図である。
【図６】他の従来の鏝板の底面図である。
【図７】他の従来の鏝板のＢ矢視図である。
【図８】本考案の鏝板の平面図である。
【図９】本考案の鏝板の底面図である。
【図１０】本考案の鏝板のＣ矢視図である。
【図１１】本考案の鏝板のＤ矢視図である。
【符号の説明】
【００１４】１      鏝板
２      把持部
３      梁部
４      辺
４ａ    長辺
４ｂ    短辺
【図１】
0003171456.tif 000003
【図２】
0003171456.tif 000004
【図３】
0003171456.tif 000005
【図４】
0003171456.tif 000006
【図５】
0003171456.tif 000007
【図６】
0003171456.tif 000008
【図７】
0003171456.tif 000009
【図８】
0003171456.tif 000010
【図９】
0003171456.tif 000011
【図１０】
0003171456.tif 000012
【図１１】
0003171456.tif 000013